(57)【要約】【課題】筐体の通音孔から内部に水が進入しても良好な筐体通過音が得られる筐体の通音構造を提供する。【解決手段】内部に電気音響変換器(13)を収容可能であり、複数の通音孔(61)からなる通音孔群(61G)を有する筐体(1)と、通気性を有するシート(12a)と、を備える。筐体(1)は、その内面(1a)における通音孔群(61G)に対応した位置に、一の方向に延びる少なくとも１本の第１の溝及(11a)及び一端側が前記第１の溝(11a)に接続して並設された複数の第２の溝(11b)を含む溝群(11G)を有し、溝群(11G)は通音孔群(61G)とシート(12a)の間に位置している。【選択図】図４
2019165378.tif 000002
【特許請求の範囲】
【請求項１】
内部に電気音響変換器を収容可能であり、複数の通音孔からなる通音孔群を有する筐体と、
通気性を有するシートと、
を備え、
前記筐体は、その内面における前記通音孔群に対応した位置に、一の方向に延びる少なくとも一本の第１の溝及び一端側が前記第１の溝に接続して並設された複数の第２の溝を含む溝群を有し、
前記溝群は前記通音孔群と前記シートの間に位置すること、
を特徴とする筐体の通音構造。
【請求項２】
前記第２の溝は、前記第１の溝に対し、前記一の方向の一方の側に傾斜して延びる溝を含むことを特徴とする請求項１記載の筐体の通音構造。
【請求項３】
前記第１の溝及び前記第２の溝の底面は、前記通音孔群における中央の前記通音孔よりも縁側の前記通音孔の長さを短くするよう傾斜していることを特徴とする請求項１又は請求項２記載の筐体の通音構造。
【請求項４】
前記一の方向を鉛直方向とした姿勢で、前記筐体の外部から前記通音孔を通して前記第１の溝及び前記第２の溝の一方の溝に水が進入可能とされ、かつ前記一方の溝に進入した水は、前記一方の溝と前記シートとの間を移動して前記第１の溝の下部から前記通音孔を通して外部に排出されるよう構成されていることを特徴とする請求項１〜３のいずれか１項に記載の筐体の通音構造。
【請求項５】
電気音響変換器と、
前記電気音響変換器を内部に収容すると共に、複数の通音孔からなる通音孔群を有する筐体と、
通気性を有するシートと、
を備え、
前記筐体は、その内面における前記通音孔群に対応した位置に、一の方向に延びる少なくとも一本の第１の溝及び一端側が前記第１の溝に接続して並設された複数の第２の溝を含む溝群を有し、
前記溝群は前記通音孔群と前記シートの間に位置すること、
を特徴とする電気音響変換装置。
【請求項６】
前記一の方向は、前記電気音響変換装置の使用姿勢における鉛直方向に沿う方向であることを特徴とする請求項５記載の電気音響変換装置。
【請求項７】
複数の通音孔からなる通音孔群を有する筐体と、
前記筐体の内部に収容された電気音響変換器と、
外部から視認可能に前記筐体に設けられた表示部と、
通気性を有するシートと、
を備え、
前記筐体は、その内面における前記通音孔群に対応した位置に、一の方向に延びる少なくとも一本の第１の溝及び一端側が前記第１の溝に接続して並設された複数の第２の溝を含む溝群を有し、
前記溝群は前記通音孔群と前記シートの間に位置すること、
を特徴とする電子機器。
【発明の詳細な説明】
【技術分野】
【０００１】
本発明は、筐体の通音構造、並びに、電気音響変換装置及び電子機器に係り、マイクロフォンやスピーカなどの電気音響変換器を内部に収容した筐体の通音構造、並びに、その通音構造を備えた電気音響変換装置及び電子機器に関する。
【背景技術】
【０００２】
マイクロフォンやスピーカなどの電気音響変換器を内部に収容した筐体は、音を内外で通過させるための通音孔を含む通音構造を有する。
そして、このような筐体の通音構造を有する電気音響変換装置や電子機器を雨中で使用可能とするため、雨水が通音孔から筐体内部に進入しても外部に良好に排出される通音構造が検討されており、インターホン機器の水抜き構造として特許文献１に記載されている。
【０００３】
特許文献１に記載された通音構造は、筐体内のスピーカに対応して形成された開口部が縦長の通音孔を有するプレートで覆われると共に、筐体内面にプレートの通音孔を塞ぐ防水フィルムが貼付されている。これにより、スピーカから出力された音は、防水フィルム及び通音孔を介して外部に放出される一方、外部から通音孔を通して内部に進入した水は、プレートと防水フィルムの間に溜まるものの溜まった水はその自重で放音孔の下部から外部へ流出するようになっている。
【先行技術文献】
【特許文献】
【０００４】
【特許文献１】特開２０１３−０７０２６２号公報
【発明の概要】
【発明が解決しようとする課題】
【０００５】
特許文献１に記載された構造は、通音孔の開口面積が小さく、かつその通音孔を防水フィルムで覆っているために、通音孔を通って外部に放出される筐体通過音の音圧が小さく、また音質も変化して、良好な聴取音を得にくいという点で改善の余地があった。
また、特許文献１に記載された構造を、マイクロフォンを収容した収音装置に用いることもできるが、外部から筐体の通音孔及び防水フィルムを介して内部のマイクロフォンに達する筐体通過音の音圧が小さく、音質も変化し、良好な収音音声を得にくいという点で同様に改善の余地があった。
【０００６】
そこで、本発明が解決しようとする課題は、筐体の通音孔から内部に水が進入しても良好な筐体通過音が得られる筐体の通音構造、並びに、電気音響変換装置及び電子機器を提供することにある。
【課題を解決するための手段】
【０００７】
上記の課題を解決するために、本発明は次の構成を有する。
１）  内部に電気音響変換器を収容可能であり、複数の通音孔からなる通音孔群を有する筐体と、
通気性を有するシートと、
を備え、
前記筐体は、その内面における前記通音孔群に対応した位置に、一の方向に延びる少なくとも一本の第１の溝及び一端側が前記第１の溝に接続して並設された複数の第２の溝を含む溝群を有し、
前記溝群は前記通音孔群と前記シートの間に位置すること、
を特徴とする筐体の通音構造である。
２）  電気音響変換器と、
前記電気音響変換器を内部に収容すると共に、複数の通音孔からなる通音孔群を有する筐体と、
通気性を有するシートと、
を備え、
前記筐体は、その内面における前記通音孔群に対応した位置に、一の方向に延びる少なくとも一本の第１の溝及び一端側が前記第１の溝に接続して並設された複数の第２の溝を含む溝群を有し、
前記溝群は前記通音孔群と前記シートの間に位置すること、
を特徴とする電気音響変換装置である。
３）  複数の通音孔からなる通音孔群を有する筐体と、
前記筐体の内部に収容された電気音響変換器と、
外部から視認可能に前記筐体に設けられた表示部と、
通気性を有するシートと、
を備え、
前記筐体は、その内面における前記通音孔群に対応した位置に、一の方向に延びる少なくとも一本の第１の溝及び一端側が前記第１の溝に接続して並設された複数の第２の溝を含む溝群を有し、
前記溝群は前記通音孔群と前記シートの間に位置すること、
を特徴とする電子機器である。
【発明の効果】
【０００８】
本発明によれば、筐体の通音孔から内部に水が進入しても良好な筐体通過音が得られる、という効果を奏する。
【図面の簡単な説明】
【０００９】
【図１】図１は、実施の形態に係る電子機器の実施例１である無線機５１を示す前面図である。
【図２】図２は、図１に示される無線機５１の通音部６近傍の部分拡大図である。
【図３】図３は、無線機５１の筐体１における通音部６近傍の内面形状を示す斜視図である。
【図４】図４は、図１におけるＳ４−Ｓ４位置での断面図である。
【図５】図５は、通音構造ＴＫに用いられるシートアセンブリ１２を示す図であり、（ａ）は平面図、（ｂ）は平面図におけるＳ５ｂ−Ｓ５ｂ位置の断面図である。
【図６】図６は、本発明の実施の形態に係る筐体の通音構造ＴＫに用いられるパッキン１４を示す二面図であり、（ａ）は平面図、（ｂ）は平面図におけるＳ６ｂ−Ｓ６ｂ位置での断面図である。
【図７】図７は、無線機５１の雨中使用における溝群１１Ｇの雨水の流れを説明するための斜視図である。
【図８】図８は、無線機５１の雨中使用における前方空間Ｖｆ内の雨水の流れを説明するための断面図である。
【図９】図９は、実施の形態に係る電子機器の実施例２である携帯スピーカ５１Ａを示す前面図である。
【図１０】図１０は、携帯スピーカ５１Ａの筐体１Ａにおける通音部６Ａ近傍の内面形状を示す斜視図である。
【図１１】図１１は、図９におけるＳ１１−Ｓ１１位置の断面図である。
【図１２】図１２は、無線機５１の変形例である無線機５１Ｂの通音部６Ｂを示す部分前面図である。
【図１３】図１３は、無線機５１Ｂの筐体１Ｂにおける通音部６Ｂ近傍の内面形状を示す斜視図である。
【図１４】図１４は、図１２におけるＳ１４−Ｓ１４位置の断面図である。
【図１５】図１５（ａ）〜（ｇ）は、無線機５１における溝群１１Ｇの態様の変形例を示す図である。
【発明を実施するための形態】
【００１０】
本発明の実施の形態に係る電子機器及び電気音響変換装置を、それぞれ実施例１の無線機５１及び実施例２の携帯スピーカ５１Ａにより図１〜図１１を参照して説明する。
【００１１】
（実施例１）
図１は、電子機器としての無線機５１の前面図である。ここで、上下左右の各方向を図１の矢印で規定する。前側は紙面手前側となる。
【００１２】
図１に示されるように、無線機５１は、手で握り易いサイズの細長形状の筐体１を有する。
筐体１の前面には、表示部２，操作部３，及び通音部６が設けられている。筐体１の上面には、アンテナ４及び音量調節部５が設けられ、左側面の上部には送信キー７が設けられている。
表示部２は、通信に関する情報（チャネル番号、音量など）が表示される。操作部３は、無線機５１を動作させるために使用者が操作するボタンなどを含む。通音部６は、複数の通音孔６１が所定パターンで密集形成された通音孔群６１Ｇを有する。
【００１３】
筐体１の内部において、通音孔群６１Ｇに対応する位置には、電気音響変換器６２が備えられている。無線機５１に用いられる電気音響変換器６２として、例えばスピーカユニット及びマイクロフォンがあり、いずれか一方、又は両方が通音孔群６１Ｇに対応する位置に備えられている。
無線機５１は、スピーカユニット及びマイクロフォンの両方を備えたものとするが、便宜的に、各図においてマイクロフォンは不図示とし、電気音響変換器としてスピーカユニット１３（図４参照）のみを記載してある。
【００１４】
無線機５１は、使用者が筐体１を把持し、概ね図１に示される方向に対応した姿勢で使用される。
使用者が送信キー７を押しながら通音部６に向け話すと、その声は、通音孔群６１Ｇを通って不図示のマイクロフォンにより収音され、他の無線機に送信される。また、送信キー７を押していない状態で、他の無線機から音声を受信すると、スピーカユニット１３から音声が出力され、その音声は通音孔群６１Ｇを通って外部に放出されるので使用者により聴取可能となる。
【００１５】
次に、通音部６の構造（通音構造ＴＫ）について、図２〜図４を参照して説明する。
図２は、図１における通音部６とその近傍の拡大図である。
図３は、通音部６を筐体１の内面１ａ側から見た斜視図である。
図４は、図１におけるＳ４−Ｓ４位置での断面図であり、通音部６の全体構造である通音構造ＴＫを説明するための図である。
【００１６】
図２に示されるように、通音部６は、既述のように、複数の通音孔６１が所定のパターンで設けられた通音孔群６１Ｇを有する。
所定のパターンは、この例において、９列×９行の正方格子状のパターンを、対角が上下左右方向となる姿勢に傾けたものである。すなわち、このパターンにおいて、通音孔６１の並び方向を示す並び方向線ＬＮ６１は、筐体１の上下方向に延びる中心軸線ＣＬ１に対し４５°傾いている。
【００１７】
複数の通音孔６１のうち、左右方向中央位置の上下に延びる一列に対応する孔を、中央縦列孔６１ａとし、中央縦列孔６１ａの群を中央縦列孔群６１ａＧとする。
また、複数の通音孔６１のうち、中央縦列孔群６１ａＧよりも左側に設けられた孔を通音孔６１ｂ、右側に設けられた孔を通音孔６１ｃとし、通音孔６１ｂの群を左通音孔群６１ｂＧ、通音孔６１ｃの分を右通音孔群６１ｃＧとする。
すなわち、通音孔群６１Ｇは、中央縦列孔群６１ａＧ，左通音孔群６１ｂＧ，及び右通音孔群６１ｃＧを含んでいる。
【００１８】
一方、図３に示されるように、筐体１の内面１ａ側には、複数の溝１１の群として溝群１１Ｇが形成されている。
溝群１１Ｇは、左右方向の中央位置において上下方向に延びる中央縦溝１１ａと、中央縦溝１１ａの下端に接続し左右方向に延びる下部横溝１１ｄと、を含んでいる。また、溝群１１Ｇは、右端部が中央縦溝１１ａ又は下部横溝１１ｄに接続し、左斜め上方４５°に傾斜して延びる複数の左傾斜溝１１ｂと、左端部が中央縦溝１１ａ又は下部横溝１１ｄに接続し、右斜め上方４５°に傾斜して延びる複数の左傾斜溝１１ｃと、を含んでいる。
【００１９】
複数の左傾斜溝１１ｂの群を、左傾斜溝群１１ｂＧとし、複数の右傾斜溝１１ｃの群を、右傾斜溝群１１ｃＧとする。また、左傾斜溝群１１ｂＧと右傾斜溝群１１ｃＧとを合わせて、傾斜溝群１１ｂｃＧとする。
【００２０】
通音孔群６１Ｇのうちのすべての中央縦列孔６１ａの後方側は、その断面形状の少なくとも一部が中央縦溝１１ａに開口している。
また、複数の左傾斜溝１１ｂは、すべての通音孔６１ｂの後方側の断面形状の少なくとも一部が開口するように、上下方向のピッチなどが設定されて形成されている。
また、複数の右傾斜溝１１ｃは、すべての通音孔６１ｃの後方側の断面形状の少なくとも一部が開口するように、上下方向のピッチなどが設定されて形成されている。
【００２１】
図２及び図３に示されるように、左通音孔群６１ｂＧの最下に位置する通音孔６１ｂ１と、右通音孔群６１ｃＧの最下に位置する通音孔６１ｃ１は、断面形状の全範囲が下部横溝１１ｄに開口している（全開している）。
【００２２】
図３及び図４に示されるように、筐体１の内面１ａにおいて溝群１１Ｇが形成されている部分を含む溝形成部１ａ１は、後方側（内側）へ円形に突出している。
また、溝形成部１ａ１の突出量は、上方に向かうに従って大きくなっている。
すなわち、溝形成部１ａ１は、上方側が後方側に突出するように傾斜した台座面１ａ２を有する。
これにより、通音孔群６１Ｇにおいて、少なくとも中央の通音孔６１の長さよりも、下方縁部側の通音孔６１の長さの方が短くなっている。
【００２３】
図４に示されるように、台座面１ａ２には、シートアセンブリ１２が貼付されている。さらに、スピーカユニット１３が、そのフランジ部１３ａと台座面１ａ２との間にパッキン１４を挟んで台座面１ａ２に取り付けられている。
スピーカユニット１３は、例えばダイナミック式の電気音響変換器であって、ボイスコイルボビン１３ｂが取り付けられた振動板１３ｃがフレーム１３ｄにエッジ（不図示）を介して取り付けられている。
【００２４】
図５は、シートアセンブリ１２を示す図であり、（ａ）は平面図、（ｂ）は平面図におけるＳ５ｂ−Ｓ５ｂ位置での断面図である。
図６は、パッキン１４を示す図である、（ａ）は平面図、（ｂ）は平面図におけるＳ６ｂ−Ｓ６ｂ位置での断面図である。
【００２５】
図５に示されるように、シートアセンブリ１２は、空気を通過可能で塵埃の通過を遮断すると共に水を通し難いフィルタ機能を有するシート１２ａと、その一面に貼付された両面粘着シート１２ｂと、含み構成されている。
シート１２ａは、円形状のシートであり、両面粘着シート１２ｂは、溝群１１Ｇに対応した形状を抜いた開口部１２ｂ１を有している。
これにより、シートアセンブリ１２は、両面粘着シート１２ｂにおける開口部１２ｂ１においてシート１２ａが露出し、通気性を有する。
シートアセンブリ１２は、筐体１の台座面１ａ２に、溝部１１Ｇと開口部１２ｂ１とを合致させて貼付されている。
【００２６】
図６に示されるように、パッキン１４は、円形の外形を呈し、通音孔群６１Ｇを包含する開口部１４ａを有する封止用部材である。パッキン１４は、圧縮方向に弾性を有し、例えばゴムにより形成されている。
パッキン１４は、開口部１４ａの縁部において一面側に突出する内枠リブ１４ｂと、その外側に設けられた一面側に突出する外枠リブ１４ｃと、の二重のリブを有する。
【００２７】
既述のように、スピーカユニット１３は、内枠リブ１４ｂ及び外枠リブ１４ｃを有するパッキン１４を挟んで台座面１ａ２に取り付けられる。この取り付け状態で、パッキン１４の内枠リブ１４ｂは圧縮されて防水ラインを形成し、筐体１の外側の空間を含むスピーカユニット１３の前方空間Ｖｆ（図４参照）に対し筐体１の内部となるスピーカユニット１３の後方空間Ｖｂ（図４参照）を水密状態で維持する。
【００２８】
以上の構成を有する無線機５１を、例えば雨の中で使用した場合、図８に示されるように、通音孔６１を通して内部に雨水が進入する（実線矢印）。
進入した雨水は、溝１１を通過してシートアセンブリ１２のシート１２ａのフィルタ機能によってスピーカユニット１３側に通過しにくい。
一方、図７の実線矢印で示されるように、傾斜溝群１１ｂｃＧに入った雨水は、左傾斜溝１１ｂ及び右傾斜溝１１ｃが共に中央縦溝１１ａ側が低く傾斜しているため、自重により中央縦溝１１ａに至り、中央縦溝１１ａ内を下降して下部横溝１１ｄに達する。また、中央縦溝１１ａに直接入った雨水も、自重によって中央縦溝１１ａ内を下降して下部横溝１１ｄに達する。
【００２９】
通音孔６１の全てが、溝群１１Ｇに開口しているので、通音孔６１を通過した雨水のほとんどが、自重によって下部横溝１１ｄに向かい集まる。
【００３０】
既述のように、下部横溝１１ｄには、通音孔６１ｂ１及び通音孔６１ｃ１が開口している。そのため、下部横溝１１ｄに集まった雨水は、通音孔６１ａ１（図２及び図４参照），通音孔６１ｂ１，及び通音孔６１ｃ１を通って外部に排出される（図７及び図８：破線矢印）。
すなわち、通音孔６１ａ１，６１ｂ１，６１ｃ１は、水の排出孔として機能する。
【００３１】
通音孔６１から進入する雨水の量が急激に増加すると、短い期間において、排出される雨水の量よりも進入する量の方が多くなる場合がある。
この場合、シート１２ａを通過した僅かな水が、前方空間Ｖｆのうちの、筐体１の内面１ａとスピーカユニット１３との間の直前空間Ｖｃの下部に貯留水Ｑとして短時間溜まる場合がある。
しかし、貯留水Ｑは、溜まる量が多くなるほど自重により通音孔６１ａ１，６１ｂ１，６１ｃ１からの排出が促進される。
【００３２】
さらに、台座面１ａ２は、下方に向かうに従って前方に向かう傾斜面となっている。すなわち、雨水は、溝群１１Ｇを流れて下方に向かうほど、排出される通音孔６１ａ１，６１ｂ１，６１ｃ１に近づくようになっている。
これにより、無線機５１は、雨水が通音孔６１から筐体１内に進入しても、通音孔群６１Ｇの下部の通音孔６１ａ１，６１ｂ１，６１ｃ１から外部により良好に排出される。
【００３３】
このように、無線機５１は、通音孔６１を多数設けてその総開口面積を大きくすると共に通気性を有するシート１２ａを用いることで、筐体１の内外に音を良好に通過させることができる。さらに、筐体１の通音孔６１から水が浸入した場合でも、溝群１１Ｇ及びシート１２ａにより浸入した水の排出が促進される。
そのため、スピーカユニット１３から筐体１を通して外部に放出される音、及び外部空間から筐体１を通って内部のマイクロフォンで収音される音の音量は減少しにくく、音質も変化しにくく、良好な筐体通過音が得られる。
【００３４】
（実施例２）
実施例２の電気音響変換装置としての携帯スピーカ５１Ａは、図９に示されるように前面視で矩形で、前後に薄い扁平の六面体形状を呈する。説明の便宜上、上下左右の各方向を図９の矢印方向で規定する。前方は紙面手前側である。
【００３５】
携帯スピーカ５１Ａは、筐体１Ａの内部に実施例１と同様のスピーカユニット１３を備え、さらにスピーカユニット１３を駆動するアンプ部（不図示）及び外部から有線又は無線で音声信号を受ける受信部（不図示）を備えている。
これにより、外部から供給された音声信号を、電気音響変換器であるスピーカユニットから音として出力し、筐体１Ａに設けられた通音部６Ａを通し外部に放出する。
携帯スピーカ５１Ａは、使用姿勢は図９に示される一つに限定されず、筐体１Ａの図９に示される上下左右の各側面を鉛直下方にした４つの姿勢での使用が可能であって推奨されるものである。
【００３６】
図９は、携帯スピーカ５１Ａの前面図であり、図１０は、筐体１Ａの通音部６Ａに対応した部分を後左斜め下方から見た斜視図であり、図１１は、図９におけるＳ１１−Ｓ１１位置での断面図であり、通音部６Ａの全体構造である通音構造ＴＫＡを説明するための図である。
図９〜図１１は、それぞれ実施例１における図２〜図４に対応する。
【００３７】
図９に示されるように、通音部６Ａは、複数の通音孔７１が所定のパターンで設けられた通音孔群７１Ｇを有する。
所定のパターンは、この例において、９行×９列の正方格子状のパターンを、対角が上下左右方向となる姿勢に傾けたものである。すなわち、このパターンにおいて、通音孔７１の並び方向を示す並び方向線ＬＮ７１は、上下方向に延びる筐体１の中心軸線ＣＬ１Ａに対し４５°傾いている。
【００３８】
通音孔群７１Ｇのうち、左右中央位置の上下に延びる一列と、上下中央位置の左右に延びる一行と、からなる十字配列に対応する孔を、十字配列孔７１ａとする。そして、複数の十字配列孔７１ａの群を十字配列孔群７１ａＧとする。
【００３９】
また、複数の通音孔７１のうち、十字配列孔群７１ａＧに対する左上の三角領域にある孔を通音孔７１ｂとし、複数の通音孔７１ｂの群を通音孔群７１ｂＧとする。
また、複数の通音孔７１のうち、十字配列孔群７１ａＧに対する左下の三角領域にある孔を通音孔７１ｃとし、複数の通音孔７１ｃの群を通音孔群７１ｃＧとする。
また、複数の通音孔７１のうち、十字配列孔群７１ａＧに対する右下の三角領域にある孔を通音孔７１ｄとし、複数の通音孔７１ｄの群を通音孔群７１ｄＧとする。
また、複数の通音孔７１のうち、十字配列孔群７１ａＧに対する右上の三角領域にある孔を通音孔７１ｅとし、複数の通音孔７１ｅの群を通音孔群７１ｅＧとする。
【００４０】
図１０に示されるように、筐体１Ａの内面１Ａａ側には、複数の溝２１の群として溝群２１Ｇが形成されている。
溝群２１Ｇは、左右中央位置の上下に延びる縦溝と上下中央位置の左右に延びる横溝とからなり、十字配列孔群７１ａＧが底面に開口するよう形成された十字形状の十字溝２１ａを含む。
十字溝２１ａの縦溝の上下端部には、それぞれ左右方向に延びる端部溝２１ｆ３，２１ｆ１が形成されており、十字溝２１ａの横溝の左右端部には、それぞれ上下方向に延びる端部溝２１ｆ４，２１ｆ２が形成されている。
【００４１】
溝群２１Ｇは、両端がそれぞれ十字溝２１ａの縦溝と横溝とに斜めに（例えば４５°に）接続する傾斜溝群２１ｂＧ〜２１ｅＧを含む。
傾斜溝群２１ｂＧは、通音孔７１ｂの配列に対応して平行に形成された複数の溝２１ｂを有している。
傾斜溝群２１ｃＧは、通音孔７１ｃの配列に対応して平行に形成された複数の溝２１ｃを有している。
傾斜溝群２１ｄＧは、通音孔７１ｄの配列に対応して平行に形成された複数の溝２１ｄを有している。
傾斜溝群２１ｅＧは、通音孔７１ｅの配列に対応して平行に形成された複数の溝２１ｅを有している。
この例において、溝２１ｂ〜２１ｅは、それぞれ４本ずつ形成されている。
【００４２】
通音孔群７１Ｇにおける上方頂点近傍の通音孔７１ｂ１，７１ｅ２は、端部溝２１ｆ３に全開し、下方頂点近傍の通音孔７１ｃ２，７１ｄ１は、端部溝２１ｆ１に全開している。
また、左方頂点近傍の通音孔７１ｂ２，７１ｃ１は、端部溝２１ｆ４に全開し、右方頂点近傍の通音孔７１ｄ２，７１ｅ１は、端部溝２１ｆ２に全開している。
【００４３】
図１１に示されるように、十字溝２１ａの上下に延びる縦溝の底面２１ａ１は、上下方向の中央が最も後方側にあって筐体１Ａの板厚が厚く、その中央から上下に離れるに従い、前方側に傾斜して筐体１Ａの板厚が薄くなる面として形成されている。同様に、左右に延びる横溝も同様で中央が最も後方側にある。
これにより、通音孔群７１Ｇにおいて、少なくとも中央の通音孔７１の長さよりも、縁部側の通音孔７１の長さの方が短くなっている。
【００４４】
一方で、筐体１Ａの内面１Ａａにおいて、溝群２１Ｇが形成されている領域を含む円形範囲が、周囲に対して僅かに窪んだ座部１Ａａ１とされている。
図１１に示されるように、座部１Ａａ１の表面１Ａａ２は平らであって、表面１Ａａ２には実施例１で説明したシートアセンブリ１２に相当するシートアセンブリ１２Ａが貼付されている。
【００４５】
シートアセンブリ１２Ａは、シートアセンブリ１２と同様に、両面粘着シートとシートが貼り合わされたものである。そして、両面粘着シートが溝群２１Ｇに対応する形状に抜かれた開口部を有している。
シートアセンブリ１２Ａは、その開口部と溝群２１Ｇとが合致するように貼り付けられているので、溝群２１Ｇに対応した部分がシートアセンブリ１２Ａのシートを介して後方側に通気可能となっている。
【００４６】
この構成により、携帯スピーカ５１Ａが4つの姿勢のいずれにおいても、溝群２１Ｇの鉛直下部には端部溝２１ｆ１〜２１ｆ４のいずれかが、水平方向に延びて位置する。ここでは、例えば、図１０で右側にある端部溝２１ｆ４が下部に位置する姿勢であるとする。
この姿勢で、携帯スピーカ５１Ａを雨中で使用した場合に通音孔７１から進入した雨水は、十字溝２１ａ及び傾斜溝群２１ｂＧ，２１ｃＧ，２１ｄＧ，２１ｅＧのいずれかを通り、その自重により端部溝２１ｆ４に向かって集まる。
端部溝２１ｆ４には、通音孔７１ｂ２及び通音孔７１ｃ１が全開で接続しているので、端部溝２１ｆ４に集まった雨水は、通音孔７１ａ１（図９及び図１１参照）と通音孔７１ｂ２，７１ｃ１を通り外部にスムースに排出される。
【００４７】
また、十字溝２１ａ及び傾斜溝群２１ｂＧ，２１ｃＧ，２１ｄＧ，２１ｅＧは、後方側からシートアセンブリ１２Ａの、少なくとも通気性及び防塵性を有するシート部分で塞がれている。
そのため、通音孔７１を通過した雨水は、そのシート部分を通過しにくく、雨水の大部分は通音孔７１ａ１，７１ｂ２，７１ｃ１から外部に排出される。
この通音孔７１から内部に進入した雨水の外部への排出は、携帯スピーカ５１Ａの他の三つの姿勢においても同様に行われる。
【００４８】
携帯スピーカ５１Ａは、推奨される複数の使用姿勢で使用可能である。
携帯スピーカ５１Ａを、雨中などの水が通音孔７１から進入可能な環境で使用しても、いずれの使用姿勢においても、通音孔７１を通して内部に進入した水は、良好に外部に排出される。従って、携帯スピーカ５１Ａは、通音孔７１を多数設けてその総開口面積を大きくすると共にシートアセンブリ１２Ａを用いることで、筐体１Ａの内外に音を良好に通過させることができる。さらに、筐体１Ａの通音孔７１から水が浸入した場合でも、溝群２１Ｇ及びシートアセンブリ１２Ａにより浸入した水の排出が促進される。
そのため、スピーカユニット１３から筐体１Ａを通して外部に放出される音の音量は減少しにくく、音質も変化しにくく、良好な筐体通過音が得られる。
【００４９】
以上詳述した実施例１，２は、上述の構成に限定されるものではなく、本発明の要旨を逸脱しない範囲において変形した変形例としてもよい。
【００５０】
無線機５１は、通音部６の構造を通音部６Ｂに変形して無線機５１Ｂとしてもよい。以下、図１２〜図１４を参照して、通音部６Ｂの構造（通音構造ＴＫＢ）について説明する。
図１２は、通音部６Ｂとその近傍の拡大図である。
図１３は、通音部６Ｂを筐体１Ｂの内面１Ｂａ側から見た斜視図である。
図１４は、図１２におけるＳ１４−Ｓ１４位置での断面図であり、通音部６Ｂの全体構造である通音構造ＴＫＢを説明するための図である。
【００５１】
図１２に示されるように、無線機５１Ｂの筐体１Ｂに設けられた通音部６Ｂは、上下方向及び左右方向を対角とする正方形状の範囲内に、通音孔８１を上下左右配列の正方格子状に形成した通音孔群８１Ｇを有する。ただし、通音孔群８１Ｇにおいて、上下左右の頂点の内、下部頂点を除いて頂点に対応する通音孔８１は形成されていない。
【００５２】
図１３に示されるように、筐体１Ｂの内面１Ｂａにおける通音部６Ｂに対応する部分には、複数の溝が接続してなる溝群３１Ｇが形成されている。
溝群３１Ｇは、左右方向の中央において上下に延びる中央縦溝３１ａと、左横溝群３１ｂＧと、右横溝群３１ｃＧと、を有する。
中央縦溝３１ａの上端には上部横溝３１ｅが接続形成され、下端には下部横溝３１ｄが接続形成されている。
【００５３】
左横溝群３１ｂＧは、右端が中央縦溝３１ａに接続して左方に水平に延び、上下方向に並設された複数の左横溝３１ｂからなる。
右横溝群３１ｃＧは、左端が中央縦溝３１ａに接続して右方に水平に延び、上下方向に並設された複数の右横溝３１ｃからなる。
【００５４】
すべての通音孔８１は、中央縦溝３１ａ，左横溝３１ｂ，及び右横溝３１ｃのいずれかに開口している。図１２及び図１３に示したパターンにおいては、通音孔８１は、中央縦溝３１ａ以外の溝に開口している。
また、通音部６Ｂの下部にある通音孔８１ａ１，８１ａ２，８１ａ３は、下部横溝３１ｄに開口している。
【００５５】
図１３及び図１４に示されるように、筐体１Ｂの内面１Ｂａにおいて、溝群３１Ｇが形成されている領域を含む円形範囲が、周囲に対して僅かに窪んだ座部１Ｂａ１とされている。
座部１Ｂａ１の表面１Ｂａ２は平らであって、表面１Ｂａ２にはシートアセンブリ１２に相当するシートアセンブリ１２Ｂが貼付されている。
シートアセンブリ１２Ｂは、両面粘着シートの開口部形状が、溝群３１Ｇの形状に対応しており、その開口部が溝群３１Ｇに合致するよう貼り付けられている。そのため、溝群３１Ｇに対応した部分がシートアセンブリ１２Ｂのシートを介して後方側に通気可能となっている。
【００５６】
この変形例の無線機５１Ｂは、図１２に示される姿勢での雨中使用によって通音孔８１を通して外部から内部に進入した水は、左横溝群３１ｂＧ又は右横溝群３１ｃＧに入り貯留する。
左横溝群３１ｂＧ及び右横溝群３１ｃＧに溜まった水の一部は、それらの溝群が接続する中央縦溝３１ａを通って自重で下方に移動し、下部横溝３１ｄに達する。
【００５７】
一方、左横溝群３１ｂＧ及び右横溝群３１ｃＧにある程度水が溜まり時間が経過すると、シートアセンブリ１２Ｂのシートを通過して、シートアセンブリ１２とスピーカユニット１３との間の直前空間Ｖｃ（図１４参照）に進入する。そして、シートアセンブリ１２の後面を伝って自重により下方に移動し（図１４：実線矢印）下部横溝３１ｄに達して溜まる。
下部横溝３１ｄに溜まった水は、その下部横溝３１ｄに開口した通音孔８１ａ１，８１ａ２，８１ａ３を通り、外部に排出される（図１４：破線矢印）。
【００５８】
このように、無線機５１Ｂは、通音孔８１を多数設けてその総開口面積を大きくすると共に通気性を有するシート１２Ｂを用いることで、筐体１Ｂの内外に音を良好に通過させることができる。さらに、筐体１Ｂの通音孔８１から水が浸入した場合でも、溝群３１Ｇ及びシートアセンブリ１２Ｂにより浸入した水の排出が促進される。
そのため、スピーカユニット１３から筐体１Ｂを通って外部に放出される音、及び内部にマイクロフォンが備えられている場合は、外部空間から筐体１Ｂを通って内部のマイクロフォンで収音される音量は減少しにくく、音質も変化しにくく、良好な筐体通過音が得られる。
【００５９】
通音部６，６Ａ，６Ｂの形成態様は、その態様に限定されるものではなく、種々の態様に変形可能である。
例えば、図１５（ａ）〜（ｇ）のように変形してよい。
（ａ）は、溝群１１Ｇに対し、中央縦溝１１ａを下方に延長し、延長部分に水を誘導する態様の通音部６Ｖａである。
（ｂ）は、複数の縦溝を左右方向に並設し、中央の縦溝を下方に延長し、延長部分に水を誘導する態様の通音部６Ｖｂである。
（ｃ）は、溝群３１Ｇに対し、中央縦溝を傾斜させた態様の通音部６Ｖｃである。
（ｄ）は、溝群３１Ｇに対し、中央縦溝の左右に縦溝を並設し、すべての中央縦溝の下部に水を誘導する態様の通音部６Ｖｄである。
（ｅ）は、溝群３１Ｇに対し、中央縦溝の左右に縦溝を並設し、中央の縦溝のみを下方へ延長して延長部分に水を誘導する態様の通音部６Ｖｅである。
（ｆ）は、溝群３１Ｇに対し、中央縦溝を削除し、左右両端に縦溝を設けた態様の通音部６Ｖｆである。
（ｇ）は、溝群３１Ｇに対し、横溝の通音孔を横長の孔とした態様の通音部６Ｖｇである。
各態様は、適宜組み合わせることができる。
【００６０】
電子機器は、実施例１及び変形例として説明した無線機５１，５１Ｂに限定されず、携帯電話を含む携帯端末、音楽再生装置、ゲーム機、など種々の装置が該当する。
電気音響変換装置は、実施例２として説明した携帯スピーカ５１Ａのように、スピーカユニット１３のみを備えたものに限定されず、マイクロフォンのみを備えたもの、或いはスピーカユニット１３及びマイクロフォンユニットの両方を備えたもの、など種々の装置が該当する。
【符号の説明】
【００６１】
１，１Ａ，１Ｂ  筐体
１ａ，１Ａａ，１Ｂａ  内面、    １ａ１  溝形成部、    １ａ２  台座面
１Ａａ１，１Ｂａ１  座部、    １Ａａ２，１Ｂａ２  表面
２  表示部
３  操作部
４  アンテナ
５  音量調節部
６，６Ａ，６Ｂ，６Ｖａ〜６Ｖｇ  通音部
７  送信キー
１１  溝、      １１Ｇ  溝群
１１ａ  中央縦溝、    １１ｂ  左傾斜溝、    １１ｃ  右傾斜溝
１１ｄ  下部横溝、    １１ｂｃＧ  傾斜溝群
１１ｂＧ  左傾斜溝群、    １１ｃＧ  右傾斜溝群
１２，１２Ａ，１２Ｂ  シートアセンブリ
１２ａ  シート、    １２ｂ  両面粘着シート、    １２ｂ１  開口部
１３  スピーカユニット（電気音響変換器）
１３ａ  フランジ部、    １３ｂ  ボイスコイルボビン、    １３ｃ  振動板
１３ｄ  フレーム
１４  パッキン
１４ａ  開口部、    １４ｂ  内枠リブ、    １４ｃ  外枠リブ
２１，２１ｂ，２１ｃ，２１ｄ，２１ｅ  溝、    ２１Ｇ  溝群
２１ａ  十字溝、    ２１ａ１  底面
２１ｂＧ，２１ｃＧ，２１ｄＧ，２１ｅＧ  傾斜溝群
２１ｆ１，２１ｆ３，２１ｆ２，２１ｆ４  端部溝
３１ａ  中央縦溝、    ３１ｂ  左横溝、    ３１ｂＧ  左横溝群
３１ｃ  右横溝、    ３１ｃＧ  右横溝群、    ３１ｄ  下部横溝
３１ｅ  上部横溝、    ３１Ｇ  溝群
５１，５１Ｂ  無線機（電子機器）
５１Ａ  携帯スピーカ（電気音響変換装置）
６１  通音孔、    ６１Ｇ  通音孔群
６１ａ  中央縦列孔、    ６１ａＧ  中央縦列孔群
６１ｂ，６１ｂ１，６１ｃ，６１ｃ１  通音孔、    ６１ｂＧ  左通音孔群
６１ｃＧ  右通音孔群
６２  電気音響変換器
７１，７１ｂ，７１ｃ，７１ｄ，７１ｂ１，７１ｂ２，７１ｃ１，７１ｃ２，
７１ｄ１，７１ｄ２，７１ｅ１，７１ｅ２  通音孔
７１ｂＧ，７１ｃＧ，７１ｄＧ，７１ｅＧ  通音孔群
７１ａ  十字配列孔、    ７１ａＧ  十字配列孔群、    ７１Ｇ  通音孔群
８１，８１ａ１，８１ａ２，８１ａ３  通音孔、    ８１Ｇ  通音孔群
ＣＬ１，ＣＬ１Ａ  中心軸線、    ＬＮ６１，ＬＮ７１  並び方向線
Ｑ  貯留水
ＴＫ，ＴＫＡ，ＴＫＢ  通音構造
Ｖｂ  後方空間、    Ｖｃ  直前空間、    Ｖｆ  前方空間
【図１】
2019165378.tif 000003
【図２】
2019165378.tif 000004
【図３】
2019165378.tif 000005
【図４】
2019165378.tif 000006
【図５】
2019165378.tif 000007
【図６】
2019165378.tif 000008
【図７】
2019165378.tif 000009
【図８】
2019165378.tif 000010
【図９】
2019165378.tif 000011
【図１０】
2019165378.tif 000012
【図１１】
2019165378.tif 000013
【図１２】
2019165378.tif 000014
【図１３】
2019165378.tif 000015
【図１４】
2019165378.tif 000016
【図１５】
2019165378.tif 000017